(57)【要約】【課題】  音楽ＣＤの再生時に、Ｑデータにエラーが存在する場合、使用するシステムによっては時間情報の誤表示等、意図しない動作をすることがある。また、Ｑデータの出力方法については製品仕様に依存するため、音声再生部を汎用的に使用する場合、エラー処理方法を一意に決めることができない。【解決手段】  Ｑデータ処理部３１と、音響処理部３２とで再生部３０を構成し、外部から与えられたＱデータ置き換え方法指示情報Ｅ、Ｑデータ初期値Ｆ、Ｑデータ出力方法指示情報Ｇを、制御部４０がＱデータ処理部３１へ送信する。Ｑデータ処理部３１は、外部から入力されたＱデータＡにエラーが存在する場合には、基本的には、そのＱデータをエラーのないＱデータＣに置き換えて出力する。ただし、Ｑデータのエラー時の処理方法を複数用意し、どの処理を使用するかを指示情報Ｅ，Ｇに応じて選択できるようにする。【選択図】  図３
2007080425.tif 000002
【特許請求の範囲】
【請求項１】
音楽ＣＤ再生時に音声データと同期してＱデータを出力する機能を有する音声再生装置であって、
再生部と、当該再生部を制御する制御部とを備え、
前記再生部は、
入力された音声ストリームを音響処理する音響処理部と、
入力されたＱデータを音声データと同期して出力する処理を行うＱデータ処理部とを有し、
入力されたＱデータがエラーであった場合には前記Ｑデータ処理部でエラーのないデータに置き換えて出力する機能を備えたことを特徴とする音声再生装置。
【請求項２】
請求項１記載の音声再生装置において、
入力されたＱデータがエラーの場合にＱデータをエラーのないデータに置き換える際の方法として、前回のエラーのないＱデータに置き換えて出力する機能を備えたことを特徴とする音声再生装置。
【請求項３】
請求項１記載の音声再生装置において、
入力されたＱデータがエラーの場合にＱデータをエラーのないデータに置き換える際の方法として、Ｑデータ中のトラックナンバー、時間情報のみを前回のエラーのないＱデータから予測及び生成し、生成したＱデータを今回のＱデータとして出力する機能を備えたことを特徴とする音声再生装置。
【請求項４】
請求項１記載の音声再生装置において、
入力されたＱデータがエラーの場合にＱデータをエラーのないデータに置き換える際の方法として、前回のエラーがないＱデータから予測して今回出力するＱデータを生成し、更には生成したＱデータに対して算出したＣＲＣデータを付加し、エラーのない状態で今回のＱデータとして出力する機能を備えたことを特徴とする音声再生装置。
【請求項５】
請求項１記載の音声再生装置において、
入力されたＱデータがエラーの場合にＱデータをエラーのないデータに置き換える際の複数種類の方法を外部から選択可能なインターフェースを備えたことを特徴とする音声再生装置。
【請求項６】
請求項１記載の音声再生装置において、
最初に入力されたＱデータがエラーの場合に使用するためのＱデータの初期値を外部から指定可能なインターフェースを備えたことを特徴とする音声再生装置。
【請求項７】
請求項１記載の音声再生装置において、
最初に入力されたＱデータから連続してＱデータがエラーの場合に当該Ｑデータをエラーのないデータに置き換える際の方法として、外部から指定されたＱデータの初期値をもとに今回出力するためのＱデータを生成し、出力する機能を備えたことを特徴とする音声再生装置。
【請求項８】
請求項１記載の音声再生装置において、
入力されたＱデータがエラーの場合にＱデータをエラーのないデータに置き換えるか入力されたＱデータをそのまま出力するかを外部から選択可能なインターフェースを備えたことを特徴とする音声再生装置。
【発明の詳細な説明】
【技術分野】
【０００１】
本発明は、広くはディジタル信号処理技術に関し、特に音楽ＣＤ再生時に出力するＱデータにエラーがあった場合のエラーコンシールメント処理を行う音声再生装置に関するものである。
【背景技術】
【０００２】
音楽ＣＤでは、サブコーディングされたＱチャンネルに音声データとは別のＱデータが記録されている。このＱデータは、再生時間表示やダビング時の曲間認識に用いられる。従来、音楽ＣＤ再生時に音声データとＱデータとを同期させて出力するシステムが知られている（特許文献１参照）。
【特許文献１】特開２００１−１５５４３２号公報
【発明の開示】
【発明が解決しようとする課題】
【０００３】
音楽ＣＤ再生時のＱデータにエラーが存在する場合、そのまま出力すると再生時間表示が瞬間的に異常値となったり、ダビング中であれば接続する外部機器によっては曲間認識を誤り、意図しないトラックとして記録されるといった問題があった。
【０００４】
この問題を回避するために、Ｑデータのエラーを検出した場合にはエラーのないデータに置き換えて出力することが望ましい。しかし、Ｑデータの出力方法については製品仕様に依存するため、音声再生部を様々なシステムに組み込んで使用する場合、エラー処理方法を一意に決めることができないといった課題もある。
【０００５】
本発明は、このような問題を解決し、また制御部から再生部に対してＱデータのエラー時における処理方法、出力方法を指定可能なインターフェースを備えることにより、組み込むシステムに依存しない汎用的な音声再生装置を提供することにある。
【課題を解決するための手段】
【０００６】
上記目的を達成するため、本発明の音声再生装置は、音楽ＣＤ再生時のＱデータにエラーがあった場合にエラーのないＱデータに置き換えるための方法を複数備え、あるいはエラー時のＱデータ出力方法について入力されたデータをそのまま出力するか置き換えたデータを出力するかを外部から選択可能にしたものである。
【発明の効果】
【０００７】
本発明の音声再生装置によれば、Ｑデータがエラーであった場合でも再生時間表示の異常や、ダビング時の誤記録を防ぐことが可能となる。また、エラー時のＱデータ出力方法を外部から選択可能にすることで、組み込むシステムに依存しない汎用的な音声再生装置を提供することが可能となる。
【発明を実施するための最良の形態】
【０００８】
以下、図面を参照しながら、本発明の実施の形態を説明する。
【０００９】
図１は、音楽ＣＤに記録されているＱデータの構造を示すもので、ＣＯＮＴＲＯＬ領域１１と、ＡＤＤＲＥＳＳ領域１２と、ＤＡＴＡ領域１３と、ＣＲＣ領域１４とで構成されている。
【００１０】
図２は、ＱデータのＤＡＴＡ領域１３の構造を示すもので、トラックナンバー（ＴＮＯ）部２１と、ＩＮＤＥＸ部２２と、経過時間（ＭＩＮ）部２３と、経過時間（ＳＥＣ）部２４と、経過時間（ＦＲＡＭＥ）部２５と、ＺＥＲＯ部２６と、絶対時間（ＭＩＮ）部２７と、絶対時間（ＳＥＣ）部２８と、絶対時間（ＦＲＡＭＥ）部２９とで構成されている。
【００１１】
図３は、本発明に係る音声再生装置の構成例を示すブロック図である。図３の音声再生装置は、大きく再生部３０と、制御部４０とで構成される。
【００１２】
再生部３０は、Ｑデータ処理部３１と、音響処理部３２とで構成される。Ｑデータ処理部３１は、外部から入力されたＱデータＡにエラーが存在する場合には、基本的には、そのＱデータをエラーのないＱデータＣに置き換えて出力する。これにより、再生時間表示の異常やダビング時の誤記録防止が可能となる。音響処理部３２は、外部から入力された音声データＢを復号して、復号処理後の音声データＤを出力する。出力ＱデータＣは、音声データＤと同期している。
【００１３】
制御部４０は、外部からＱデータ置き換え方法指示情報Ｅ、Ｑデータ初期値Ｆ、Ｑデータ出力方法指示情報Ｇを受け取り、これらの情報をＱデータ処理部３１へ送信する機能を有する。
【００１４】
なお、本音声再生装置では、図１のＤＡＴＡ領域１３中の情報を再生時間、トラックナンバーの表示に使用している。また、ＣＲＣ領域１４のデータを用いてＱデータのエラー判定を行う。
【００１５】
図４は、図３中のＱデータ処理部３１の処理手順を示すフローチャートである。まず、ステップＳ１では、外部から入力されたＱデータにエラーが存在するかを調べる。エラーが存在しない場合には、ステップＳ２にて読み出しＱデータの出力処理をしたのち、ステップＳ３にて当該読み出しＱデータの保存処理を行う。
【００１６】
外部から入力されたＱデータにエラーが存在する場合には、ステップＳ１からステップＳ４へ進む。ステップＳ４では、Ｑデータ出力方法指示情報Ｇに応じてＱデータの出力方法を選択する。ここでステップＳ２へ進むことが選択された場合には、入力されたＱデータをそのまま出力することとなる。ステップＳ４からステップＳ５へ進むことが選択された場合には、所定のＱデータエラー処理が実行される。Ｑデータにエラーが存在する際の出力方法をこのように外部から選択可能なようにすることで、本音声再生装置を幅広いシステムに対して組み込むことが可能となる。
【００１７】
図５は、図４中のＱデータエラー処理の詳細手順を示すフローチャートである。まず、ステップＳ１１では、最初の１又は複数のＱデータにエラーが生じたかを調べる。ここで、外部から入力されたＱデータにエラーが存在し、かつ、そのＱデータが最初に入力されたものであった場合には、ステップＳ１２へ進む。ステップＳ１２では、外部から与えられたＱデータ初期値ＦをＱデータとして出力する。ただし、連続エラーの場合には、当該初期値Ｆをもとに今回のＱデータを生成して出力する。これにより、過去のＱデータとの置き換えや、過去のＱデータから今回のＱデータの予測を行うことが不可能な、最初の１又は複数のＱデータにエラーが存在する場合にでも、本音声再生装置使用者が意図しない異常なデータを含むＱデータの出力を防ぐことが可能となる。
【００１８】
外部から入力されたＱデータにエラーが存在するものの、そのＱデータが最初に入力されたものでなかった場合には、ステップＳ１１からステップＳ１３へ進む。ステップＳ１３では、Ｑデータ置き換え方法指示情報Ｅに応じた判定を行う。例えば、Ｑデータのどの領域に対して予測、生成を行うかの決定を行う。Ｑデータにエラーが存在する際の出力方法をこのように外部から選択可能なようにすることで、幅広いシステムに対して本音声再生装置を組み込むことが可能となる。
【００１９】
例えば、「方法１」が選択された場合のステップＳ１４では、前回の正常なＱデータを今回のＱデータとして出力する。これにより、異常なデータを含むＱデータの出力を防ぐことが可能となる。
【００２０】
「方法２」が選択された場合のステップＳ１５では、過去のＱデータから今回のＱデータのトラックナンバー、時間情報を予測し、今回のＱデータとして生成して出力する。これにより、システムに負荷をかけることなく比較的容易に正確な再生時間とトラックナンバーの表示を行うことができる。この際、予測したＱデータに対してＣＲＣデータの算出も行い、今回のＱデータとして出力するのがよい。これにより、ＣＲＣデータの値まで保証した、誤りのないＱデータを出力することができる。
【産業上の利用可能性】
【００２１】
以上説明してきたとおり、本発明に係る音声再生装置は、Ｑデータのエラー時のエラーコンシールメント処理を複数用意し、それらの処理のうちどれを使用するかを外部から設定できるインターフェースを持つことにより、組み込むシステムに依存することなく音楽ＣＤの再生、ダビングを正常に行えるようになるので、汎用性のある音声再生装置として有用である。
【図面の簡単な説明】
【００２２】
【図１】Ｑデータの構造図である。
【図２】図１中のＤＡＴＡ領域の詳細構造図である。
【図３】本発明の音声再生装置の構成例を示す回路ブロック図である。
【図４】図３中のＱデータ処理部の処理手順を示すフローチャートである。
【図５】図４中のＱデータエラー処理の詳細手順を示すフローチャートである。
【符号の説明】
【００２３】
３０  再生部
３１  Ｑデータ処理部
３２  音響処理部
４０  制御部
Ａ  入力Ｑデータ
Ｂ  音声データ
Ｃ  出力Ｑデータ
Ｄ  復号処理後の音声データ
Ｅ  Ｑデータ置き換え方法指示情報
Ｆ  Ｑデータ初期値
Ｇ  Ｑデータ出力方法指示情報
【図１】
2007080425.tif 000003
【図２】
2007080425.tif 000004
【図３】
2007080425.tif 000005
【図４】
2007080425.tif 000006
【図５】
2007080425.tif 000007